(57)【特許請求の範囲】
【請求項１】
コンテナー本体の底部裏面に形成されたカード取付部材用嵌合凹部に、カード取付部材を取り付けることにより、コンテナー本体とカード取付部材との間に、カード挿入用間隙が形成されるように構成されているとともに、カード挿入用間隙には、コンテナー本体に形成されたカード取付部材用嵌合凹部の水平天部と、該水平天部と対向するカード取付部材の水平部とからなる底部側間隙部が形成されており、且つ、カード取付部材の前壁部の上端とコンテナー本体の上端周状水平フランジとの間には、カード視認可能領域が形成されていることを特徴とする運搬用コンテナー。
【発明の詳細な説明】
【技術分野】
【０００１】
本発明は、底部と側壁とが一体的に成形され、側壁が、底部に重なるように折り畳むことができない、所謂、ボックスコンテナーや、側壁が、底部に重なるように折り畳むことが可能な、所謂、折り畳みコンテナー等の運搬用コンテナーに関するものである。
【背景技術】
【０００２】
従来、運搬用コンテナーに収容される物品の物品名や数量や搬送先等の種々の情報を含むコード番号やバーコード等の収容物品情報が記載されたカードを、運搬用コンテナーに配設されたカード差しに差し込むように構成された運搬用コンテナーが、一例として、特許文献１に開示されている。
【０００３】
【特許文献１】実公昭５６−４９８８４号公報
【発明の開示】
【発明が解決しようとする課題】
【０００４】
上述した運搬用コンテナーにおいては、カード差しに差し込まれるカードの高さが、運搬用コンテナーのカード差しが配設された箇所の高さを越えている場合には、カード差しに差し込まれたカードが、運搬用コンテナーの上端から突出し、運搬用コンテナーの運搬や搬送に支障を来したり、或いは、カードが、カード差しから抜け出す等の問題があった。
【０００５】
カードの高さが、ボックスコンテナーの高さより高い場合には、上述した問題が発生することになる。しかしながら、折り畳みコンテナーにおいては、側壁ではなく、底部の側部に、カード差しを配設することがあるが、折り畳みコンテナーが、箱型に組み立てられた状態においては、カード差しに差し込まれたカードが、箱型に組み立てられた状態の折り畳みコンテナーの上端を越えて、上方に延在することは少ないが、折り畳みコンテナーが折り畳まれた状態においては、カード差しに差し込まれたカードが、折り畳まれた状態の折り畳みコンテナーの上端を越えて、上方に延在することになる。このような場合には、上述した問題が発生することになる。
【０００６】
また、図２１に示されているように、カードＫ’の高さより低い高さを有するボックスコンテナーＣｂ’の側壁ｃ１’に配設されたカード差しＨ’に、カードＫ’を差し込んだ際には、カードＫ’の上部が、ボックスコンテナーＣｂ’の上端水平フランジｃ２’に当接し、カードＫ’の上部が、外側に折れ曲がることになる。このように、カードＫ’の上部が折れ曲がった場合には、カードＫ’の上部に表示されている情報が、読み取りにくいという問題があった。また、このように、カードＫ’の上部が折れ曲がった状態で、カードＫ’が、カード差しＨ’に差し込まれている場合には、運搬用コンテナーの運搬や搬送に支障を来したり、或いは、カードＫ’が、損傷したり、カード差しＨ’から抜け出す等の問題があった。
【０００７】
本発明の目的は、上述した従来の運搬用コンテナーが有する課題を解決することにある。
【課題を解決するための手段】
【０００８】
本発明は、上述した目的を達成するために、コンテナー本体の底部裏面に形成されたカード取付部材用嵌合凹部に、カード取付部材を取り付けることにより、コンテナー本体とカード取付部材との間に、カード挿入用間隙を形成するとともに、カード挿入用間隙に、コンテナー本体に形成されたカード取付部材用嵌合凹部の水平天部と、該水平天部と対向するカード取付部材の水平部とからなる底部側間隙部を形成し、且つ、カード取付部材の前壁部の上端とコンテナー本体の上端周状水平フランジとの間に、カード視認可能領域を形成したものである。
【発明の効果】
【０００９】
コンテナー本体の底部裏面に形成されたカード取付部材用嵌合凹部に、カード取付部材を取り付けることにより、コンテナー本体とカード取付部材との間に、カード挿入用間隙を形成するとともに、カード挿入用間隙に、コンテナー本体に形成されたカード取付部材用嵌合凹部の水平天部と、該水平天部と対向するカード取付部材の水平部とからなる底部側間隙部を形成し、且つ、カード取付部材の前壁部の上端とコンテナー本体の上端周状水平フランジとの間に、カード視認可能領域を形成したので、カードの一部を、底部側間隙部に収容することができ、従って、コンテナー本体の高さより、高さの高いカードを、カードに、何ら加工を加えることなく、且つ、カードの上部を外側に折り曲げることなく、コンテナー本体に配設することができる。
【実施例】
【００１０】
以下に、本発明の実施例について説明するが、本発明の趣旨を越えない限り、何ら、本実施例に限定されるものではない。なお、以下においては、運搬用コンテナーが、ボックスコンテナーの場合を例に、本発明について説明する。
【００１１】
先ず最初に、図１及び図２を用いて、運搬用コンテナーの一例であるボックスコンテナーＣのコンテナー本体Ｃ’について説明する。
【００１２】
コンテナー本体Ｃ’は、平面形状が略方形状の底部ｃ１と、底部ｃ１の一方の相対する辺から立設された一方の相対する側壁ｃ２と、底部ｃ１のもう一方の相対する辺から立設されたもう一方の相対する側壁ｃ３とから構成されている。なお、もう一方の相対する側壁ｃ３には、後述するカード取付部材が配設されるので、もう一方の相対する側壁ｃ３を、カード配設用側壁と称する。
【００１３】
側壁ｃ２、ｃ３の上端には、外側に略水平に延在する上端周状水平フランジｃ４が形成されているとともに、一方の相対する側壁ｃ２の下部には、外側に略水平に延在する下部水平フランジｃ５が形成されている。また、下部水平フランジｃ５と、上端周状水平フランジｃ４の一方の相対する側壁ｃ２側に位置する上端水平フランジ部ｃ４ａとは、その両端部付近において、側壁ｃ２に垂直な垂直リブｃ６により連結されているとともに、下部水平フランジｃ５の一方の相対する側壁ｃ２の延長線状にある側端と、上端周状水平フランジｃ４のもう一方の相対するカード配設用側壁ｃ３側に位置する上端水平フランジ部ｃ４ｂとは、一方の相対する側壁ｃ２を延在することにより形成された、カード配設用側壁ｃ３に垂直な垂直リブｃ７により連結されている。なお、垂直リブｃ７は、後述するカード取付部材の係止に利用されるので、以下においては、垂直リブｃ７を、係止用垂直リブと称する。
【００１４】
カード配設用側壁ｃ３付近に位置する底部ｃ１領域には、底部ｃ１の底板ｃ１ａを、底部ｃ１の裏面側から上方に膨出させることにより、カード配設用側壁ｃ３に沿って、膨出部ｃ８が形成されており、膨出部ｃ８は、底板ｃ１ａから、カード配設用側壁ｃ３方向に向かって、上方に傾斜した傾斜部ｃ８ａと水平部ｃ８ｂと湾曲部ｃ８ｃとから形成されている。
【００１５】
底部ｃ１に、上述したような膨出部ｃ８を形成することにより、底部ｃ１の裏面には、後述するカード取付部材が配設されるカード取付部材用嵌合凹部ｃ９が形成されている。カード取付部材用嵌合凹部ｃ９は、膨出部ｃ８の傾斜部ｃ８ａに対応した奥壁部ｃ９ａと、膨出部ｃ８の水平部ｃ８ｂに対応した水平天部ｃ９ｂと、膨出部ｃ８の湾曲部ｃ８ｃに対応した湾曲状天部ｃ９ｃと、膨出部ｃ８を形成することにより形成された、一方の相対する側壁ｃ２の下端部を構成する側枠部ｃ９ｄとから構成されており、カード取付部材用嵌合凹部ｃ９は、下方とカード配設用側壁ｃ３側が開放されている。
【００１６】
相対する係止用垂直リブｃ７には、係止用透孔ｃ７ａが形成されており、また、カード取付部材用嵌合凹部ｃ９を構成する側枠部ｃ９ｄには、所定の間隔を置いて、一対の係止用透孔ｃ９ｄ’が形成されている。また、カード取付部材用嵌合凹部ｃ９を構成する水平天部ｃ９ｂと湾曲状天部ｃ９ｃの境界付近に位置する水平天部ｃ９ｂの略中央部には、一方の相対する側壁ｃ２に略平行な突条ｃ１０が垂設されており、突条ｃ１０のカード配設用側壁ｃ３側には、傾斜面ｃ１０ａが形成されている。なお、このような突条ｃ１０は、適宜、省略することもできる。
【００１７】
次に、図３及び図４を用いて、カード取付部材Ｈ１について説明する。
【００１８】
カード取付部材Ｈ１は、板状基体１を有しており、板状基体１は、長方形状の水平部１ａと、水平部１ａの長辺に連接された湾曲部１ｂと、湾曲部１ｂの長辺に連接された略垂直状の前壁部１ｃとを有している。前壁部１ｃの両端部には、側部ブロック２が形成されており、また、水平部１ａと湾曲部１ｂの辺部には、側部ブロック２に連接された周辺垂直枠３が立設されている。周辺垂直枠３は、前壁部１ｃに平行な長辺枠部３ａと前壁部１ｃに略垂直な、相対する短辺枠部３ｂとから構成されている。
【００１９】
相対する側部ブロック２の外壁面２ａには、先細り状の嵌合突部２ｂが突設されており、また、水平部１ａ付近に位置する、相対する短辺枠部３ｂの外壁面には、上面に傾斜面３ｂ１’が形成された略三角柱状の嵌合突部３ｂ１が突設されている。水平部１ａの長手方向中央部には、長辺枠部３ａに対して略垂直な一対の相対するスリット４が形成されており、一対の相対するスリット４間に位置する水平部１ａの上面には、スリット４に沿って、突条５が突設されている。相対するスリット４を形成することにより、相対するスリット４間に位置する水平部１ａ領域が、弾性変形するように構成されており、以下、この弾性変形可能な領域を、弾性変形可能領域１ａ１と称する。なお、前壁部１ｃの中央部には、必要に応じて、凹部６が形成されている。なお、このようなスリット４や突条５は、適宜、省略することもできる。
【００２０】
次に、図５及び図６を用いて、カード取付部材Ｈ１のコンテナー本体Ｃ’への取り付けについて説明する。
【００２１】
図５に示されているように、カード取付部材Ｈ１の前壁部１ｃが、コンテナー本体Ｃ’のカード配設用側壁３ｃ付近に位置し、また、カード取付部材Ｈ１の長辺枠部３ａが、コンテナー本体Ｃ’の奥壁部ｃ９ａ付近に位置するように、コンテナー本体Ｃ’に形成されたカード取付部材用嵌合凹部ｃ９の下方に、カード取付部材Ｈ１を配置する。その後、カード取付部材Ｈ１を、コンテナー本体Ｃ’に接近させると、カード取付部材Ｈ１の側部ブロック２の外壁面２ａに突設された嵌合突部２ｂが、コンテナー本体Ｃ’の係止用垂直リブｃ７に穿設された係止用透孔ｃ７ａに嵌合されるとともに、カード取付部材Ｈ１の相対する短辺枠部３ｂの外壁面に突設された嵌合突部３ｂ１が、コンテナー本体Ｃ’に形されたカード取付部材用嵌合凹部ｃ９を構成する側枠部ｃ９ｄに穿設された一対の係止用透孔ｃ９ｄ’のうちの一方の係止用透孔ｃ９ｄ’に嵌合されることになり、図５及び図６に示されているように、カード取付部材Ｈ１が、コンテナー本体Ｃ’に取り付けられることになる。なお、本実施例においては、カード取付部材Ｈ１の相対する短辺枠部３ｂの外壁面に突設された嵌合突部３ｂ１が、コンテナー本体Ｃ’に形されたカード取付部材用嵌合凹部ｃ９を構成する側枠部ｃ９ｄに穿設された一対の係止用透孔ｃ９ｄ’のうち、奥壁部ｃ９ａ側に位置する係止用透孔ｃ９ｄ’に嵌合されるように構成されている。
【００２２】
カード取付部材Ｈ１のコンテナー本体Ｃ’への取り付けに際しては、上述したように、先ず最初に、カード取付部材Ｈ１の側部ブロック２の外壁面２ａに突設された嵌合突部２ｂを、コンテナー本体Ｃ’の係止用垂直リブｃ７に穿設された係止用透孔ｃ７ａに、強制的に、嵌合し、その後、カード取付部材Ｈ１の側部ブロック２の外壁面２ａに突設された嵌合突部２ｂとコンテナー本体Ｃ’の係止用垂直リブｃ７に穿設された係止用透孔ｃ７ａとの嵌合部を中心に、カード取付部材Ｈ１を上方に回動させて、カード取付部材Ｈ１の相対する短辺枠部３ｂに突設された嵌合突部３ｂ１の傾斜面３ｂ１’を、コンテナー本体Ｃ’のカード取付部材用嵌合凹部ｃ９を構成する側枠部ｃ９ｄに当接させ、次いで、更に、カード取付部材Ｈ１を上方に回動させることにより、カード取付部材Ｈ１の側部ブロック２の外壁面２ａに突設された嵌合突部２ｂを、容易に、コンテナー本体Ｃ’の係止用垂直リブｃ７に穿設された係止用透孔ｃ７ａに嵌合させることができる。
【００２３】
上述したようにして、カード取付部材Ｈ１が、コンテナー本体Ｃ’に取り付けられた際には、コンテナー本体Ｃ’とカード取付部材Ｈ１との間には、カードＫ１が挿入可能なカード挿入用間隙Ｇが形成されるように構成されている。
【００２４】
図７に示されているように、コンテナー本体Ｃ’とカード取付部材Ｈ１との間に形成されたカード挿入用間隙Ｇは、コンテナー本体Ｃ’に形成されたカード取付部材用嵌合凹部ｃ９の水平天部ｃ９ｂと、該水平天部ｃ９ｂと対向するカード取付部材Ｈ１の水平部１ａとの間に形成されている、底部ｃ１領域に延在する底部側間隙部ｇ１を有している。また、コンテナー本体Ｃ’とカード取付部材Ｈ１との間に形成されたカード挿入用間隙Ｇは、コンテナー本体Ｃ’に形成されたカード取付部材用嵌合凹部ｃ９の湾曲状天部ｃ９ｃと、該湾曲状天部ｃ９ｃと対向するカード取付部材Ｈ１の湾曲部１ｂとの間に形成されている湾曲状間隙部ｇ２を有している。更に、コンテナー本体Ｃ’とカード取付部材Ｈ１との間に形成されたカード挿入用間隙Ｇは、コンテナー本体Ｃ’のカード配設用側壁ｃ３と、該カード配設用側壁ｃ３と対向するカード取付部材Ｈ１の略垂直状の前壁部１ｃとの間に形成されている側壁側間隙部ｇ３を有している。
【００２５】
また、カード取付部材Ｈ１が、コンテナー本体Ｃ’に取り付けられた際には、図７に示されているように、カード取付部材Ｈ１の相対するスリット４間に位置する弾性変形可能領域１ａ１に突設された突条５は、コンテナー本体Ｃ’のカード取付部材用嵌合凹部ｃ９を構成する水平天部ｃ９ｂに垂設された突条ｃ１０より、カード取付部材用嵌合凹部ｃ９を構成する奥壁部ｃ９ａ側に位置するように構成されている。
【００２６】
次に、図８及び図９を用いて、カード挿入用間隙ＧへのカードＫ１の収容状態等について説明する。
【００２７】
上述したコンテナー本体Ｃ’とカード取付部材Ｈ１との間に形成されたカード挿入用間隙Ｇのカード挿入口ｇ４に、カードＫ１の先端（カードＫ１の挿入方向先端）ｋ１を挿入し、カードＫ１を、順次、カード挿入用間隙Ｇに押し込むことにより、カードＫ１が、カード挿入用間隙Ｇに収容されることになるが、カードＫ１が、カード挿入用間隙Ｇに収容された際には、カードＫ１の先端ｋ１が、カード取付部材Ｈ１の長辺枠部３ａに当接、或いは、長辺枠部３ａに接近して位置するように構成されている。また、カードＫ１は、カード取付部材Ｈ１の相対するスリット４間に位置する弾性変形可能領域１ａ１に突設された突条５と、コンテナー本体Ｃ’のカード取付部材用嵌合凹部ｃ９を構成する水平天部ｃ９ｂに垂設された突条ｃ１０とにより形成された、カードＫ１の厚さと同じか、それ以下の挟持間隙部ｇ５を通過しているので、カードＫ１が、カード挿入用間隙Ｇから、簡単に、引き抜かれるようなことを防止することができる。なお、挟持間隙部ｇ５が、カードＫ１の厚さより狭い場合でも、突条５が、一対の相対するスリット４間に位置する弾性変形可能な弾性変形可能領域１ａ１に突設されているので、弾性変形可能領域１ａ１が下方に湾曲変形することになり、従って、容易に、且つ、迅速に、カードＫ１を、カード挿入用間隙Ｇに収容することができる。
【００２８】
また、上述したような、弾性変形可能領域１ａ１に形成された突条５やコンテナー本体Ｃ’のカード取付部材用嵌合凹部ｃ９を構成する水平天部ｃ９ｂに垂設された突条ｃ１０を省略しても、図９に示されているように、カードＫ１は、カード挿入用間隙Ｇに湾曲された状態で収容されているので、カードＫ１が、カード挿入用間隙Ｇから、簡単に、引き抜かれるようなことはない。
【００２９】
また、カードＫ１が、カード挿入用間隙Ｇに収容された際には、上述したように、カードＫ１の先端ｋ１が、カード取付部材Ｈ１の長辺枠部３ａに当接、或いは、長辺枠部３ａに接近して位置するするとともに、カードＫ１の後端（カードＫ１の挿入方向後端）ｋ２が、コンテナー本体Ｃ’の上端周状水平フランジｃ４に近接して位置するように構成されている。なお、カード配設用側壁ｃ３側に位置する上端周状水平フランジｃ４の先端縁に、上端周状水平フランジｃ４を補強するための垂下部ｃ４ｃが垂設されている場合には、カードＫ１の後端ｋ２が、上端周状水平フランジｃ４の垂下部ｃ４ｃの下端ｃ４ｃ’を越えて、上方に位置しないように構成されている。カードＫ１の後端ｋ２が、上端周状水平フランジｃ４の垂下部ｃ４ｃの下端ｃ４ｃ’を越えて、上方に位置していると、換言すれば、カードＫ１の後端ｋ２が、上端周状水平フランジｃ４の垂下部ｃ４ｃの背後に位置していると、カードＫ１を、カード挿入用間隙Ｇから引き抜くために、カードＫ１のカード挿入用間隙Ｇから外に出ている部分を、作業者が、カード配設用側壁ｃ３から離反する方向に移動させる際に、カードＫ１の後端ｋ２が、上端周状水平フランジｃ４の垂下部ｃ４ｃに引っ掛かり、従って、カードＫ１のカード挿入用間隙Ｇからの引き抜き作業の作業性が悪くなる。
【００３０】
更に、コンテナー本体Ｃ’とカード取付部材Ｈ１との間に形成されたカード挿入用間隙Ｇに、カードＫ１が収容された際には、カード取付部材Ｈ１の前壁部１ｃの上端１ｃ１とコンテナー本体Ｃ’の上端周状水平フランジｃ４（上端周状水平フランジｃ４に垂下部ｃ４ｃが垂設されている場合には、垂下フランジｃ４ｃの下端ｃ４ｃ’）との間には、カード視認可能領域Ａ１が形成されており、このカード視認可能領域Ａ１内に位置するカードＫ１に含まれる情報を、作業者や情報読み取り機が読み取ることができるように構成されている。通常、カードＫ１の上部に、コンテナー本体Ｃ’に収容されている物品に関する主要な情報が、コード番号やバーコード等で表示されているので、カード視認可能領域Ａ１に、カードＫ１の上部が位置すれば、必要十分な情報を、読み取ることができる。
【００３１】
上述したように、コンテナー本体Ｃ’とカード取付部材Ｈ１との間に形成されたカード挿入用間隙Ｇが、コンテナー本体Ｃ’に形成されたカード取付部材用嵌合凹部ｃ９の水平天部ｃ９ｂと該水平天部ｃ９ｂと対向するカード取付部材Ｈ１の水平部１ａとの間に形成された底部側間隙部ｇ１と、コンテナー本体Ｃ’に形成されたカード取付部材用嵌合凹部ｃ９の湾曲状天部ｃ９ｃと該湾曲状天部ｃ９ｃと対向するカード取付部材Ｈ１の湾曲部１ｂとの間に形成されている湾曲状間隙部ｇ２と、コンテナー本体Ｃ’のカード配設用側壁ｃ３と該カード配設用側壁ｃ３と対向するカード取付部材Ｈ１の略垂直状の前壁部１ｃとの間に形成されている側壁側間隙部ｇ３とから構成されており、コンテナー本体Ｃ’とカード取付部材Ｈ１との間に形成されたカード挿入用間隙Ｇに、コンテナー本体Ｃ’の高さより、高さの高いカードＫ１が収容された際には、カードＫ１の挿入方向先端領域が、カード挿入用間隙Ｇの底部側間隙部ｇ１に位置し、且つ、コンテナー本体Ｃ’に収容されている物品に関する主要な情報が含まれているカードＫ１の上部が、カードＫ１の後端ｋ２を含め、カード取付部材Ｈ１とコンテナー本体Ｃ’との間に形成されたカード視認可能領域Ａ１に位置するように構成されている。従って、コンテナー本体Ｃ’の高さより、高さの高いカードＫ１を、コンテナー本体Ｃ’に配設した場合でも、カードＫ１の上部が、図２１に示されているように、外側に折れ曲がったり、カードＫ１の上部が、コンテナー本体Ｃ’を越えて、上方に飛び出すようなことがない。
【００３２】
上述したように構成することにより、コンテナー本体Ｃ’の高さより、高さの高いカードＫ１を、切ったり、折ったりする等の加工を加えることなく、そのまま、使用することができとともに、カードＫ１の上部が、図２１に示されているように、外側に折れ曲がったり、カードＫ１の上部が、コンテナー本体Ｃ’を越えて、上方に飛び出すようなことがないので、カードＫ１が損傷するようなことがなく、また、コンテナーＣの運搬や搬送に支障を来したり、更に、カードＫ１が、カード挿入用間隙Ｇから抜け出すようなことを防止することができる。
【００３３】
次に、図１０及び図１１を用いて、別の実施例について説明する。
【００３４】
この実施例におけるカード取付部材Ｈ２は、上述した実施例におけるカード取付部材Ｈ１の板状基体１を構成する水平部１ａを短くしたものであり、それ以外の構成は実質的に、上述した実施例と同じである。
【００３５】
上述した実施例のカード取付部材Ｈ１の板状基体１を構成する水平部１ａより、短い水平部１ａを有するカード取付部材Ｈ２を、コンテナー本体Ｃ’に取り付けた場合には、カード取付部材Ｈ２の長辺枠部３ａが、上述した実施例におけるカード取付部材Ｈ１の長辺枠部３ａより、カード配設用側壁ｃ３により近づいた位置に配置されることになる。
【００３６】
上述したように、カード取付部材Ｈ２の板状基体１を構成する水平部１ａを、短くしたことにより、上述した実施例におけるカードＫ１より、高さの低いカードＫ２に対応することができる。なお、この高さの低いカードＫ２も、上述した高さの高いカードＫ１と同様に、コンテナー本体Ｃ’の高さより、高く形成されている。
【００３７】
上述した実施例におけるカード取付部材Ｈ１が取り付けられているコンテナー本体Ｃ’に、高さの低いカードＫ２を適用した場合には、コンテナー本体Ｃ’に収容されている物品に関する主要な情報が表示されている、高さの低いカードＫ２の上部の一部或いはその殆どが、カード視認可能領域Ａ１内に位置することなく、カード取付部材Ｈ２の略垂直状の前壁部１ｃの背後に位置することになり、従って、高さの低いカードＫ２の上部に表示されている主要な情報を読み取ることができないことになる。
【００３８】
しかしながら、この実施例においては、高さの低いカードＫ２の先端ｋ１が、上述した実施例のカード取付部材Ｈ２の長辺枠部３ａより、カード配設用側壁ｃ３により近い位置に配置された長辺枠部３ａに当接、或いは、長辺枠部３ａに接近して位置することになる。従って、上述したように、カード取付部材Ｈ１の板状基体１を構成する水平部１ａを短くしたことにより、高さの低いカードＫ２の上部に表示されている主要な情報を、カード視認可能領域Ａ１内に位置することができ、作業者や情報読み取り機が、高さの低いカードＫ２の上部に表示されている主要な情報を読み取ることができる。
【００３９】
なお、３ａ１は、カード取付部材Ｈ２を構成する長辺枠部３ａの中央部に形成された切り欠き凹部であり、カード取付部材Ｈ２を、コンテナー本体Ｃ’に取り付けた際に、コンテナー本体Ｃ’のカード取付部材用嵌合凹部ｃ９を構成する水平天部ｃ９ｂに垂設された突条ｃ１０が、切り欠き凹部３ａ１に挿入されて、長辺枠部３ａに当接しないよう構成したものである。
【００４０】
上述した、水平部１ａを短くしたカード取付部材Ｈ２においては、一対の相対するスリット４や突条５が省略されている。
【００４１】
次に、図１２〜図１４を用いて、更に別の実施例について説明する。
【００４２】
この実施例におけるカード取付部材Ｈ３は、図３に示されているカード取付部材Ｈ１において、長辺枠部３ａから前壁部１ｃまで、短辺枠部３ｂに対して平行に延在する隔壁リブ７を形成したものである。また、８は、相対する短辺枠部３ｂのうちの一方の短辺枠部３ｂから隔壁リブ７まで延在する、長辺枠部３ａに対して平行に延在する停止リブである。
【００４３】
このような構成のカード取付部材Ｈ３を、上述した実施例と同様に、コンテナー本体Ｃ’に取り付けた場合には、コンテナー本体Ｃ’とカード取付部材Ｈ１との間に位置するカード挿入用間隙Ｇは、停止リブ８が位置する一方の副間隙部Ｇ１と、該一方の副間隙部Ｇ１に対して横並びに並設された、停止リブ８が形成されていないもう一方の副間隙部Ｇ２とに分割されることになる。
【００４４】
従って、停止リブ８が位置する一方の副間隙部Ｇ１には、カードＫ１より、幅が狭く、且つ、高さの低いカードが収容され、また、停止リブ８が形成されていないもう一方の副間隙部Ｇ２には、上述したカードＫ１より、幅が狭く、且つ、高さが同じカードが収容されることになる。従って、複数のタイプの異なるカードを、収容することができる。
【００４５】
次に、図１５〜図１７を用いて、更にまた別の実施例について説明する。
【００４６】
この実施例におけるカード取付部材Ｈ４は、図３に示されているカード取付部材Ｈ１において、カード取付部材Ｈ１を構成する板状基体１の水平部１ａに、複数の方形状の嵌合透孔１ｄを穿設したものである。なお、本実施例には、２個の嵌合透孔１ｄが穿設されている例が、示されている。
【００４７】
Ｓは、嵌合透孔１ｄに嵌合される停止部材であり、停止部材Ｓは、嵌合透孔１ｄと略同じ大きさの平面形状を有する略角柱状の嵌合基部ブロックｓ１と、嵌合基部ブロックｓ１の一方の相対する側壁面ｓ２のうちの一方の側壁面ｓ２側に位置する嵌合基部ブロックｓ１の上面ｓ１ａに形成された第１係止ブロックｓ３と、嵌合基部ブロックｓ１の一方の相対する側壁面ｓ２のうちのもう一方の側壁面ｓ２側に位置する嵌合基部ブロックｓ１の上面ｓ１ａに形成された第２係止ブロックｓ４とを有している。
【００４８】
第１係止ブロックｓ３は、嵌合基部ブロックｓ１の上面ｓ１ａに立設された垂直部ｓ３ａと、垂直部ｓ３ａから、嵌合基部ブロックｓ１の一方の側壁面ｓ２から、外側に突出するように形成された楔状係止突起ｓ３ｂとから形成されている。また、第２係止ブロックｓ４は、その正面形状（側壁面ｓ２から見た形状）が、略台形状に形成されており、第２係止ブロックｓ４の両端部には、嵌合基部ブロックｓ１のもう一方の相対する側壁面ｓ２’から、外側に突出する突出部ｓ４ａが形成されている。
【００４９】
カード取付部材Ｈ４に穿設された嵌合透孔１ｄの下方に、停止部材Ｓを配置した後、嵌合透孔１ｄに、停止部材Ｓを圧入すると、停止部材Ｓの第１係止ブロックｓ３の楔状係止突起ｓ３ｂの裏面ｓ３ｂ’が、カード取付部材Ｈ１を構成する板状基体１の水平部１ａに載置され、また、停止部材Ｓの第２係止ブロックｓ４の突出部ｓ４ａの裏面ｓ４ａ’が、カード取付部材Ｈ１を構成する板状基体１の水平部１ａに載置されて、カード取付部材Ｈ４に、停止部材Ｓが取り付けられるように構成されている。
【００５０】
停止部材Ｓが取り付けられていないカード取付部材Ｈ４の場合は、図１〜図９を用いて説明した、上述した実施例と、カード取付部材Ｈ４のコンテナー本体Ｃ’への取り付け手段を含め、その機能も同じであるので、その詳細な説明は、省略する。即ち、カードＫ１の先端ｋ１は、カード取付部材Ｈ１の長辺枠部３ａに当接、或いは、長辺枠部３ａに接近して位置することになる。なお、この実施例においては、コンテナー本体Ｃ’のカード取付部材用嵌合凹部ｃ９を構成する水平天部ｃ９ｂに突設された突条ｃ１０や、カード取付部材Ｈ４の水平部１ａに形成された一対の相対するスリット４や突条５が省略されているが、このような、突条ｃ１０やスリット４や突条５を、図１〜図９を用いて説明した、上述した実施例と同様に形成することもできる。
【００５１】
停止部材Ｓが取り付けられているカード取付部材Ｈ４を、コンテナー本体Ｃ’に取り付けた場合には、図１０及び図１１を用いて説明した、高さの低いカードＫ２に対応することができるように構成されている。即ち、図１７に示されているように、高さの低いカードＫ２の先端ｋ１が、カード取付部材Ｈ４に取り付けられた停止部材Ｓの第２係止ブロックｓ４に当接、或いは、第２係止ブロックｓ４に接近して位置するように構成されているので、それ以上のカード挿入用間隙Ｇへの挿入が阻止されるように構成されている。従って、高さの低いカードＫ２の上部の一部或いはその殆どが、カード視認可能領域Ａ１内に位置することなく、カード取付部材Ｈ２の略垂直状の前壁部１ｃの背後に位置し、高さの低いカードＫ２の上部に表示されている主要な情報を読み取ることができないというような問題を回避することができる。
【００５２】
このように、カード取付部材Ｈ４に、停止部材Ｓを取り付けた場合と、カード取付部材Ｈ４に、停止部材Ｓを取り付けない場合とにより、高さの高いカードＫ１と高さの低いカードＫ２の両方に対応することができる。従って、複数のタイプの異なるカードを、収容することができる。
【００５３】
次に、図１８〜図２０を用いて、なお更なる別の実施例について説明する。
【００５４】
この実施例におけるカード取付部材Ｈ５は、図３に示されているカード取付部材Ｈ１において、長辺枠部３ａ付近から前壁部１ｃ方向に延在するとともに、短辺枠部３ｂに略平行な複数の仕切り兼停止用舌片９を形成したものである。なお、本実施には、２個の仕切り兼停止用舌片９が形成されている例が示されている。
【００５５】
仕切り兼停止用舌片９は、長辺枠部３ａ付近に位置する垂直部９ａと、垂直部９ａの上端から、前壁部１ｃ方向に延在する略水平状の水平部９ｂとから構成されている。
【００５６】
このような構成のカード取付部材Ｈ５を、上述した実施例と同様に、コンテナー本体Ｃ’に取り付けた場合には、コンテナー本体Ｃ’とカード取付部材Ｈ５との間に形成されるカード挿入用間隙Ｇは、カード挿入口ｇ４から仕切り兼停止用舌片９の先端９ｃまでは、上述した実施例と同様であるが、仕切り兼停止用舌片９の先端９ｃから長辺枠部３ａまでは、仕切り兼停止用舌片９により、仕切り兼停止用舌片９の上方に位置する上部間隙部Ｇ３と、仕切り兼停止用舌片９の下方に位置する下部間隙部Ｇ４とに分割されることになる。
【００５７】
上述した高さの高いカードＫ１は、その前半部分（カード挿入口ｇ４側に位置する部分）Ｋ１’は、上述した実施例と同様に、コンテナー本体Ｃ’とカード取付部材Ｈ５との間に形成されるカード挿入用間隙Ｇのうち、カード挿入口ｇ４から仕切り兼停止用舌片９の先端９ｃまでに位置するカード挿入用間隙Ｇに挿入されることになる。その後、高さの高いカードＫ１は、仕切り兼停止用舌片９の上方に位置する上部間隙部Ｇ３に挿入され、高さの高いカードＫ１の先端ｋ１は、図１９に示されているように、長辺枠部３ａに当接、或いは、長辺枠部３ａに接近して位置することになる。
【００５８】
また、高さの低いカードＫ２は、その前半部分（カード挿入口ｇ４側に位置する部分）Ｋ２’は、上述した実施例と同様に、コンテナー本体Ｃ’とカード取付部材Ｈ５との間に形成されるカード挿入用間隙Ｇのうち、カード挿入口ｇ４から仕切り兼停止用舌片９の先端９ｃまでに位置するカード挿入用間隙Ｇに挿入されることになる。その後、高さの低いカードＫ２は、仕切り兼停止用舌片９の下方に位置する下部間隙部Ｇ４に挿入され、高さの低いカードＫ２の先端ｋ１は、図２０に示されているように、仕切り兼停止用舌片９の垂直部９ａに当接、或いは、仕切り兼停止用舌片９の垂直部９ａに接近して位置するように構成されている。
【００５９】
このように、カード取付部材Ｈ５に、仕切り兼停止用舌片９を形成することにより、高さの高いカードＫ１と高さの低いカードＫ２の両方に対応することができる。従って、複数のタイプの異なるカードを、収容することができる。
【００６０】
なお、図２１に示されている従来のボックスコンテナーＣｂ’の場合には、カード差しＨ’に差し込まれたカードＫ’の上部が、ボックスコンテナーＣｂ’の上端水平フランジｃ２’に当接し、カードＫ’の上部が、外側に折れ曲がった状態で延在しているので、ボックスコンテナーＣｂ’の上端水平フランジｃ２’を持って、ボックスコンテナーＣｂ’を持ち運ぶ際に、カードＫ’が邪魔になるが、本発明においては、カードＫ１の後端ｋ２が、上端周状水平フランジｃ４を越えて外側に飛び出すようなことがないので、カードＫ１が、運搬用コンテナーの持ち運び作業の邪魔になるようなことがない。
【図面の簡単な説明】
【００６１】
【図１】図１は、本発明の運搬用コンテナーを構成するコンテナー本体の鳥瞰斜視図である。
【図２】図２は、本発明の運搬用コンテナーを構成するコンテナー本体の裏面斜視図である。
【図３】図３は、本発明の運搬用コンテナーを構成するカード取付部材の鳥瞰斜視図である。
【図４】図４は、本発明の運搬用コンテナーを構成するカード取付部材の裏面斜視図である。
【図５】図５は、本発明の運搬用コンテナーを構成するコンテナー本体とカード取付部材の部分分解斜視図である。
【図６】図６は、コンテナー本体にカード取付部材が取り付けられた状態の本発明の運搬用コンテナーの部分斜視図である。
【図７】図７は、コンテナー本体にカード取付部材が取り付けられた状態の本発明の運搬用コンテナーのカード配設用側壁に垂直な部分垂直断面図である。
【図８】図８は、コンテナー本体にカード取付部材が取り付けられた状態の本発明の運搬用コンテナーの一部断面を含む部分斜視図である。
【図９】図９は、図７と同様の部分垂直断面図である。
【図１０】図１０は、本発明の運搬用コンテナーを構成するカード取付部材の別の実施例の斜視図である。
【図１１】図１１は、図１０に示されているカード取付部材が取り付けられた運搬用コンテナーの図７と同様の部分垂直断面図である。
【図１２】図１２は、本発明の運搬用コンテナーを構成するカード取付部材の更に別の実施例の斜視図である。
【図１３】図１３は、図１２に示されているカード取付部材が取り付けられた運搬用コンテナーの図７と同様の部分垂直断面図である。
【図１４】図１４は、図１２に示されているカード取付部材が取り付けられた運搬用コンテナーの図７と同様の部分垂直断面図である。
【図１５】図１５は、本発明の運搬用コンテナーを構成するカード取付部材のなお更に別の実施例の斜視図である。
【図１６】図１６は、図１５に示されているカード取付部材に取り付けられる停止部材の斜視図である。
【図１７】図１７は、図１５に示されているカード取付部材が取り付けられた運搬用コンテナーの図７と同様の部分垂直断面図である。
【図１８】図１８は、本発明の運搬用コンテナーを構成するカード取付部材の更なる別の実施例の斜視図である。
【図１９】図１９は、図１８に示されているカード取付部材が取り付けられた運搬用コンテナーの図７と同様の部分垂直断面図である。
【図２０】図２０は、図１８に示されているカード取付部材が取り付けられた運搬用コンテナーの図７と同様の部分垂直断面図である。
【図２１】図２１は、従来の運搬用コンテナーの部分垂直断面図である。
【符号の説明】
【００６２】
Ｃ・・・・・・・・・・・・・・・運搬用コンテナー
Ｃ’・・・・・・・・・・・・・・コンテナー本体
ｃ３・・・・・・・・・・・・・・カード配設用側壁
ｃ９・・・・・・・・・・・・・・カード取付部材用嵌合凹部
Ｇ・・・・・・・・・・・・・・・カード挿入用間隙
ｇ１・・・・・・・・・・・・・・底部側間隙部
ｇ２・・・・・・・・・・・・・・湾曲状間隙部
ｇ３・・・・・・・・・・・・・・側壁側間隙部
Ｈ・・・・・・・・・・・・・・・カード取付部材
Ｋ・・・・・・・・・・・・・・・カード
１・・・・・・・・・・・・・・・板状基体
【図１】
0004909834.tif 000002
【図２】
0004909834.tif 000003
【図３】
0004909834.tif 000004
【図４】
0004909834.tif 000005
【図５】
0004909834.tif 000006
【図６】
0004909834.tif 000007
【図７】
0004909834.tif 000008
【図８】
0004909834.tif 000009
【図９】
0004909834.tif 000010
【図１０】
0004909834.tif 000011
【図１１】
0004909834.tif 000012
【図１２】
0004909834.tif 000013
【図１３】
0004909834.tif 000014
【図１４】
0004909834.tif 000015
【図１５】
0004909834.tif 000016
【図１６】
0004909834.tif 000017
【図１７】
0004909834.tif 000018
【図１８】
0004909834.tif 000019
【図１９】
0004909834.tif 000020
【図２０】
0004909834.tif 000021
【図２１】
0004909834.tif 000022